(57)【特許請求の範囲】
【請求項１】
非透水性パネルの一方の主要面に、上端から下端まで延びこれらの両端で開口している複数本の排水溝が形成されており、該パネルの側面には、パネル側面を互いに突き合わせて連結させた際に、この連結部分の内側に排水路を形成し得る上下に連なって両端で開口する凹部が形成されており、且つ、前記凹部から前記排水溝に向かって下方傾斜し、凹部と排水溝を連通させる連通溝が形成されていることを特徴とする地下壁排水用パネル。
【請求項２】
前記複数本の排水溝を横断する横断溝を有することを特徴とする請求項１に記載の地下壁排水用パネル。
【請求項３】
前記パネルに形成されている溝を覆う透水性シートを設けてなることを特徴とする請求項１又は２に記載の地下壁排水用パネル。
【請求項４】
前記パネルの溝付き面と反対の面に、表面材を設けてなることを特徴とする請求項３に記載の地下壁排水用パネル。
【請求項５】
請求項４に記載の地下壁排水用パネルを用いた地下壁の内側排水構造であって、前記透水性シートが地下壁の内側コンクリート面に接していることを特徴とする地下壁の内側排水構造。
【請求項６】
請求項４に記載の地下壁排水用パネルを、地下壁内側の捨て型枠として用いることを特徴とする地下壁の構築法。
【発明の詳細な説明】
【０００１】
【発明の属する技術分野】
本発明は、地下の湧水を地下壁部分で排水する技術に関し、特に地下壁に直接取り付けられる地下壁排水用パネルに関する。
【０００２】
【従来の技術】
従来より地下の湧水を地下壁部分で排水する方法としては、大きく分けて、地下壁の外側排水と内側排水が知られている。
【０００３】
外側排水法とは、地下部分の外周を防水層で囲んだり、地盤と地下壁の間に、例えば砂利や割栗等の裏打材を敷き詰め、地下の湧水を裏打材部分で流下させ、地中若しくは集水ピットに導く方法である。
【０００４】
内側排水法とは、湧水が地下壁に浸透するの許容し、この浸透水を地下壁の内側で排水する方法で、例えば図９に示すように、地下壁１０１の内側にブロック１０２を積み上げ、地下壁とブロック壁の間に排水路を形成し、地下壁１０１を浸透してきた浸透水をこの排水路で流下させ、集水ピット１０３に導く方法である。
【０００５】
【発明が解決しようとする課題】
しかしながら、外側排水法においても、湧水の地下壁への浸透を完璧に防ぐことは極めて困難である。また、工期短縮，工事費削減や敷地上の制約等のため、近年は余分な根切りを行わず、矢板を地下壁外側の捨て型枠として用いてコンクリートを打設することも多く、このような場合には、外側排水法を採用することはできない。
【０００６】
一方、図９に示したような内側排水法では、ブロック壁を構築する手間が多大であり、工期の長期化、工事費の増大を招いていた。
【０００７】
本発明は、上記事情に鑑み、特に敷地上の制約等に拘らず施工可能な内側排水法の改良を主目的とし、地下壁の内側部分において浸透水の排水を確実に行い得ると共に、容易に施工可能な地下壁の内側排水構造の提供を目的とする。
【０００８】
【課題を解決するための手段】
上記目的を達成すべく成された本発明の構成は以下の通りである。
【０００９】
即ち、本発明の第一は、非透水性パネルの一方の主要面に、上端から下端まで延びこれらの両端で開口している複数本の排水溝が形成されており、該パネルの側面には、パネル側面を互いに突き合わせて連結させた際に、この連結部分の内側に排水路を形成し得る上下に連なって両端で開口する凹部が形成されており、且つ、前記凹部から前記排水溝に向かって下方傾斜し、凹部と排水溝を連通させる連通溝が形成されていることを特徴とする地下壁排水用パネルにある。
【００１０】
上記本発明第一の地下壁排水用パネルは、さらにその特徴として、
「前記複数本の排水溝を横断する横断溝を有する」こと、
「前記パネルに形成されている溝を覆う透水性シートを設けてなる」こと、
「前記パネルの溝付き面と反対の面に、表面材を設けてなる」こと、
をも含むものである。
【００１１】
また、本発明の第二は、前記透水性シート及び表面材を設けた本発明第一の地下壁排水用パネルを用いた地下壁の内側排水構造であって、前記透水性シートが地下壁の内側コンクリート面に接していることを特徴とする地下壁の内側排水構造にある。
【００１２】
更に、本発明の第三は、前記透水性シート及び表面材を設けた本発明第一の地下壁排水用パネルを、地下壁内側の捨て型枠として用いることを特徴とする地下壁の構築法にある。
【００１３】
本発明の地下壁排水用パネルは、特に地下壁の内側に直接取り付けられるものであって、地下壁部分における断熱、更には内側排水に使用される。即ち、本発明の地下壁排水用パネルは、地下壁を浸透してきた浸透水の排水路を提供し、これらを地中若しくは集水ピットに導くことができるものである。
【００１４】
本発明の地下壁排水用パネルは、前述した外側排水法にも適用し得るものであるが、特に内側排水法に好適に用いることができるため、以下の説明は内側排水法を中心に行うものとする。
【００１５】
【発明の実施の形態】
本発明の地下壁排水用パネルの基本的な構成を図１（参考例）を用いて説明する。同図において、１０は非透水性のパネルからなる排水用パネル、１１は排水溝、１２は凹部である。
【００１６】
非透水性のパネル１０の材料としては、断熱性に優れたものが好ましく、特に好ましくは耐久性に優れたものが望ましく、例えばポリスチレン発泡体，ポリエチレン発泡体，ポリウレタン発泡体等が好適である。特に押出発泡ポリスチレン（商品名「スタイロフォーム」：ダウ化工（株）製）は、その低い吸水性の故に最も好ましい。
【００１７】
排水溝１１は、パネルの上端から下端まで延びてこれらの両端で開口しているもので、パネルの一方の主要面に複数形成されている。この排水溝１１は、通常、幅が３ｍｍ〜１５ｍｍ程度、深さが５ｍｍ〜２０ｍｍ程度であり、そのピッチは１０ｍｍ〜２０ｍｍ程度とすることができる。
【００１８】
凹部１２は、パネル１０の側面に上下に連なって両端で開口しているもので、図２（ａ）に示すようにパネル１０の側面を互いに突き合わせて連結させた際に、この連結部分の内側に排水路１３を形成するものである。この凹部１２は、通常、幅が３ｍｍ〜１０ｍｍ程度、深さが３ｍｍ〜１０ｍｍ程度とすることができる。凹部１２は、パネルの両側面にあるのが好ましいが、片側面のみでもよく、凹部１２を有する側面と有さない側面とを突き合わせて排水路１３が形成されればよい。
【００１９】
排水溝１１と凹部１２の断面形状は特に限定されるものではなく、図１に示した角型以外にも、三角，半円等の所望の形状とすることができる。図２（ｂ）及び図２（ｃ）に、排水溝１１と凹部１２の断面形状を夫々三角及び半円とした場合の例を示した。
【００２０】
上記のような排水溝１１及び凹部１２が形成された地下壁排水用パネル１０を、排水溝１１が形成されている面を壁面側にして、地下壁の内側（室内側）に直接取り付けると、排水溝１１及び排水路１３は地下壁を浸透してきた浸透水の排水路として機能する。
【００２１】
即ち、地下の湧水が、地下壁の亀裂等から浸透し排水溝１１部分の空間に達すると、かかる浸透水は排水溝１１に沿って流下する。また、浸透水が、毛管力によってパネル相互の連結部分に浸透し、排水路１３部分の空間に達すると、かかる浸透水は排水路１３に沿って流下する。かかる排水路１３が形成されていないと、連結部分の表面防水処理を行ったとしても、浸透水が毛管力によってパネル表面にまで滲み出してしまう恐れがある。このように、図１のような地下壁排水用パネルを地下壁部分における内側排水法に適用すれば、地下壁からの浸透水を確実に排水することができると共に、パネル相互の連結部分からの室内側への滲み出しも防止することができる。
【００２２】
本発明の地下壁排水用パネルの好ましい態様例を、図３（ａ）〜（ｄ）に示す。同図中、１４は、複数本の排水溝１１を横断する横断溝であり、１５は、凹部１２から排水溝１１に向かって下方傾斜し、凹部１２とこれに隣接する排水溝１１を連通させる連通溝である。
【００２３】
前述の説明から推察されるように、排水用パネルを用いて地下壁の内側排水を行う場合、排水溝１１及び排水路１３の閉塞が問題となる。コンクリート壁の施工後にパネルを取り付ける場合には、施工時に排水溝１１が閉塞されないようにすることは容易であるが、長期的にはコンクリートの流出によって排水溝１１が閉塞することが考えられる。また、詳しくは後述するが、特に本発明の地下壁排水用パネルを地下壁内側の捨て型枠として用いる場合には、後述する透水性シートにより排水溝を覆うことで、コンクリートの流入による排水溝１１の閉塞を防止することができるものの、この場合にも長期的にはコンクリートの流出によって排水溝１１が閉塞することが考えられる。
【００２４】
排水溝１１の一部が閉塞した場合、排水溝１１内に浸透水が溜まるが、パネル１０は非透水性であるため、かかる浸透水がパネル面から直接室内側に滲み出すことはない。しかし、地下水の水頭圧が高い場合には、排水溝１１内に溜まった浸透水の水圧が高くなりパネルに大きな応力がかかり、場合によってはパネルが変形したりパネル上部の仕口等から浸透水が漏れることも考えられる。万が一、排水溝１１の閉塞が確認された後では、その補修は極めて困難である。そのため、本発明の地下壁排水用パネルにおいては、複数本の排水溝１１を横断する横断溝１４を設けておくのが好ましい。即ち、排水溝１１の一部が閉塞され、或る排水溝１１内の浸透水の水位が横断溝１４まで上昇してくると、かかる浸透水は横断溝１４を介して隣接する他の排水溝１１に流れるため、閉塞された排水溝１１内の水圧が高くなるのを防止することができる。
【００２５】
一方、排水路１３は互いに突き合わされたパネルの内部に形成されるものであるため、パネルを地下壁内側の捨て型枠として用いる場合であっても、上記排水溝１１のようにコンクリートの流入によって閉塞される心配がない。しかしながら、排水路１３内に浸透する浸透水が多い場合には、浸透水が排水路１３を越えてさらに毛管力によって室内側へ滲み出す恐れがある。そのため、本発明の地下壁排水用パネルにおいては、連通溝１５を設けておくのが好ましい。即ち、図３に示したように、凹部１２から排水溝１１に向かって下方傾斜し、凹部１２と排水溝１１を連通させる連通溝１５を設けておくことにより、排水路１３内を流下する浸透水を、連通溝１５を介して排水溝１１に流すことができる。このため、排水路１３内を流れる浸透水の量を減らすことができ、パネル連結部分から室内側への浸透水の滲み出しをより一層確実に防止することができる。
【００２６】
上記のように、パネル同士の横方向の連結部分における浸透水の室内側への滲み出し防止を考慮すると、特に連通溝１５を設けた場合には、排水溝１１内の浸透水が排水路１３内に流入せず、なるべくパネルの中央側の排水溝１１に向かって流下するのが好ましい。このため、横断溝１４は、図３（ａ），（ｂ）のような水平方向の形態よりも、図３（ｃ），（ｄ）のようなパネルの中央側に傾斜する形態のものがより好ましい。
【００２７】
また、地下の階高が高く、本発明の地下壁排水用パネルを上下方向にも相互に連結させる必要がある場合には、図４に示すように、パネル上面にも前記凹部１２と同様の形態を有する凹部１６を設ける。このようなパネルを上下に連結すると、図５（ａ）に示すように、かかる連結部分の内側に水平方向に連なる排水路１７が形成される。この排水路１７は、前述の排水路１３（図２参照）と同様、浸透水が上下パネルの連結部分から室内側へ滲み出すのを防止するために機能する。尚、かかる滲み出し防止を考慮すると、上下パネルの連結面及び排水路１７の底面は、図５（ｂ）に示すように、内側排水においては壁側に下方傾斜させるのが好ましい。
【００２８】
次に、地下壁の構築の際に、地下壁内側の捨て型枠として用いることができる本発明の地下壁排水用パネルについて説明する。
【００２９】
コンクリート壁の施工後にパネルを取り付ける場合には、以上説明した本発明のパネル（通常は以下に示す表面材を有する）をそのまま用いることができるが、パネルを地下壁内側の捨て型枠として用いる場合には、コンクリート打設時にコンクリートの流入によって排水溝１１が閉塞されるのを防止する必要がある。図６は、かかる排水溝１１の閉塞を防止することができる地下壁排水用パネルの一態様例（参考例）であり、同図中、１８は透水性シート、１９は表面材である。本参考例のパネル１０は図１に示したものと同じであるが、本発明の地下壁排水用パネルでは図３〜図５に示した形態のものが用いられる。
【００３０】
透水性シート１８は、パネル１０の表面に形成されている溝（図６では排水溝１１のみ）を覆うように、パネル１０の表面に接着されている。この透水性シート１８としては、透水性を有し、且つセメントペーストの侵入を防止できるものであれば良く、例えば不織布、織布、編布、網状物等が使用でき、耐食性の点から、ナイロン、ポリエステル、ポリエチレン、ポリプロピレン、ポリ塩化ビニリデンなど合成繊維製のものが好ましい。透水性シート１８とパネル１０との接着は、止め具等によって行うこともできるが、予めホットメルト接着剤を透水性シート或はパネル表面に塗布しておき、熱ロール等により接着して行う方法が簡便である。
【００３１】
表面材１９は、透水性，非透水性のどちらであっても良く、広く一般的に表面材として用いられている材料を用いることができ、例えば珪酸カルシウム板、フレキシブルボード、ＡＬＣ板、石膏ボード、木材、合板、タイル、プレキャストコンクリート板等を用いることができる。
【００３２】
表面材１９には、パネル１０と同様、パネルを横方向に連結した際に、この連結部分に上下に連なって両側で開口する排水路を形成する排水路形成部２０を設けておくのが好ましい。これによって、パネル相互の連結部分からの浸透水の滲み出しをより一層確実に防止することができる。
【００３３】
パネルを建て込む際の作業性を考慮すると、パネル１０と表面材１９が一体化された状態において、その側面部分が面一になっているのが好ましい。即ち、パネル相互の連結部分を段継ぎや嵌め込み等の形態による場合には、パネルを左右にずらしながら作業を行う必要があるが、パネル側面部分が面一の場合には単に立て掛けるだけで容易にパネル同士を連結させることができる。
【００３４】
次に、上記透水性シート１８及び表面材１９を有する地下壁排水用パネルを用いて施工される本発明の地下壁の内側排水構造の一例を、図７及び図８を参照しつつ説明する。
【００３５】
図７は、地下部分の躯体の立断面、図８（ａ），（ｂ）は、夫々図９のＡ−Ａ’面及びＢ−Ｂ’面における断面図である。これらの図において、１０１は地下壁、１０３は集水ピット、１０４は水抜き管であり、パネル１０は図３（ｃ）に示したものと同じである。
【００３６】
図７及び図８に示されるように、本発明による地下壁の内側排水構造では、排水用パネルの透水性シート１８が、地下壁１０１の内側コンクリート面に接し、排水用パネルと地下壁１０１が一体化された構造を有する。そして、地下壁１０１と排水パネルの界面には、排水溝１１，横溝１４，連通溝１５からなる排水路が形成され、排水用パネル相互の連結部分の内部には、排水路１３及び排水路２１が形成されている。
【００３７】
上記地下壁の内側排水構造の施工は、具体的には、例えば矢板或は別途設けた型枠（不図示）等を地下壁外側の型枠とし、透水性シート１８を内側にした排水用パネルを地下壁内側の型枠として地下壁部分の型枠を組み、コンクリートを打ち込むことにより極めて容易に行うことができる。即ち、透水性シート１８はセメントペーストの侵入を防止できるため、コンクリートを打ち込んだ際に排水溝１１等が閉塞されることがなく、地下壁１０１とパネルの界面には排水溝１１等がそのまま残り、また、排水用パネルの側面には凹部１２及び排水路形成部２０（図６参照）が設けられているため、パネル相互の連結部分の内部には、排水路１３及び排水路２１が形成されるものである。尚、パネル相互の連結部分においては、その表面材の目地部分に防水ゴム等を用いて止水処理を行うのが好ましい。
【００３８】
上記地下壁の内側排水構造において、地下壁１０１を浸透してきた浸透水は、排水溝１１，横溝１４，連通溝１５からなる排水路を流下し、また、毛管力によって排水用パネルの連結部分に浸透してきた浸透水は、排水路１３或は排水路２１を流下し、パネル下部の水抜き管１０４を通って集水ピット１０３に集められる。
【００３９】
上記のように、本発明の地下壁排水用パネルを地下壁内側の捨て型枠として用いて、地下壁の内側排水構造を構築する場合、型枠の締付けボルト等をそのまま用いて、地下壁と排水用パネルとの一体性を保持させることができる。尚、かかるボルト部分においても、パネルの表面に防水ゴム等を用いて止水処理を行うのが好ましい。
【００４０】
以上、本発明を地下壁の内側排水法に適用する場合について説明してきたが、地下工事施工上の制約が無く根切りを十分に行うことができる場合には、本発明を外側排水法に適用することも可能である。この場合には、本発明の排水用パネルは、排水溝１１が形成されている面を壁面と反対側にして、地下壁の外側に直接取り付けられる。
【００４１】
【発明の効果】
以上説明したように、本発明によれば、以下の効果を奏する。
（１）本発明の地下壁排水用パネルは、特に地下壁の内側排水法に好適に用いられ、地下壁からの浸透水を確実に排水することができると共に、パネル相互の連結部分からの室内側への滲み出しも防止することができる。
（２）横断溝を設けた本発明の地下壁排水用パネルにあっては、排水溝の一部が閉塞された場合にも、浸透水の水圧によるパネル変形や浸透水漏れを確実に防止することができる。
（３）透水性シート及び表面材を有する本発明の地下壁排水用パネルは、地下壁内側の捨て型枠として用いることができ、地下壁の内側排水構造の施工を極めて容易に行うことができる。
（４）総合的には、地下壁の内側部分において浸透水の排水を確実に行い得る内側排水構造を、極めて容易に構築することができる。
【図面の簡単な説明】
【図１】  本発明の地下壁の排水用パネルの参考例を示す斜視図である。
【図２】  本発明の地下壁の排水用パネルの側面を互いに突き合わせた状態を示す上面図である。
【図３】  横断溝及び連通溝を有する本発明の地下壁の排水用パネルの例を示す図である。
【図４】  パネル上面に排水路形成部を有する本発明の地下壁の排水用パネルの例を示す斜視図である。
【図５】  本発明の地下壁の排水用パネルを上下に突き合わせた状態を示す図である。
【図６】  透水性シート及び表面材を設けた本発明の地下壁の排水用パネルの参考例を示す斜視図である。
【図７】  本発明の地下壁の内側排水構造の一例を示す立断面図である。
【図８】  図７の各断面線における断面図である。
【図９】  従来の内側排水法を説明するための図である。
【符号の説明】
１０  排水用パネル
１１  排水溝
１２  凹部
１３  排水路
１４  横断溝
１５  連通溝
１６  凹部
１７  排水路
１８  透水性シート
１９  表面材
２０  排水路形成部
２１  排水路
１０１  地下壁
１０２  ブロック
１０３  集水ピット
１０４  水抜き管
【図１】
0003725926.tif 000002
【図２】
0003725926.tif 000003
【図３】
0003725926.tif 000004
【図４】
0003725926.tif 000005
【図５】
0003725926.tif 000006
【図６】
0003725926.tif 000007
【図７】
0003725926.tif 000008
【図８】
0003725926.tif 000009
【図９】
0003725926.tif 000010